(57)【要約】【課題】人体に有益な放射性エネルギーを発生し、人体の顔や肌に有益の効果が期待ができ、且つ、自分でマッサージができ、持ちやすく、コストが低く、電力を使わない簡易にマッサージができる顔エステ用のマッサージロッドを提供する。【解決手段】  支持軸部材とマッサージ部材からなる顔エステ用のマッサージロッドであって、支持軸部材の一端にマッサージ部材軸を固定し、そのマッサージ部材軸に回動する第１軸カバーが設け、前記マッサージ部材の外周には数多くの部材用嵌め穴を設け、該部材用嵌め穴に放射性作用部材をはめ込み、該放射性作用部材の一部が該部材用嵌め穴の外周の外に出ており、マッサージ部材にカバー嵌合孔を設けて該カバー嵌合孔に第１軸カバーを嵌装し、マッサージ部材が第１軸カバーとともにマッサージ部材軸の中心に回動する。【選択図】図１
0003160755.tif 000002
【実用新案登録請求の範囲】
【請求項１】
支持軸部材とマッサージ部材からなる顔エステ用のマッサージロッドであって、支持軸部材の一端にマッサージ部材軸を固定し、そのマッサージ部材軸に回動する第１軸カバーが設け、前記マッサージ部材の外周には数多くの部材用嵌め穴を設け、該部材用嵌め穴に放射性作用部材をはめ込み、該放射性作用部材の一部が該部材用嵌め穴の外周の外に出ており、マッサージ部材にカバー嵌合孔を設けて該カバー嵌合孔に第１軸カバーを嵌装し、マッサージ部材が第１軸カバーとともにマッサージ部材軸の中心に回動するようにしたことを特徴とする顔エステ用のマッサージロッド。
【請求項２】
前記マッサージ部材の一端に部材用嵌め穴を設け、該部材用嵌め穴にはマッサージ用部材を設け、該マッサージ用部材の部分が部材用嵌め穴の外周の外に出ていることを特徴とする請求項１に記載の顔エステ用のマッサージロッド。
【請求項３】
前記第１軸カバーの両端にそれぞれ第１・第２のベアリングを設けたことを特徴とする請求項１に記載の顔エステ用のマッサージロッド。
【請求項４】
前記マッサージ部材軸の端面には第１軸窪み穴を設けたことを特徴とする請求項１に記載の顔エステ用のマッサージロッド。
【請求項５】
前記放射性作用部材は、磁石・光波の石・電気石・遠赤外線陶磁或いはゲルマニウムから選択されるものから作り上げたことを特徴とする請求項１に記載の顔エステ用のマッサージロッド。
【請求項６】
前記マッサージ用部材は、磁石・光波の石・電気石・遠赤外線陶磁或いはゲルマニウムから選択されるものから作り上げたことを特徴とする請求項１に記載の顔エステ用のマッサージロッド。
【請求項７】
前記支持軸部材の他端にはハンドル軸を固定し、該ハンドル軸に第２軸カバーを回動自在に嵌装し、該第２軸カバーにハンドルを嵌合し、ハンドルにはカバー嵌合孔を開け、該ハンドルがカバー嵌合孔を第２軸カバーに嵌合し、ハンドルと第２軸カバーとがハンドル軸の中心に回動するようにしたことを特徴とする請求項１に記載の顔エステ用のマッサージロッド。
【請求項８】
前記第２軸カバーの両端に第３・第４のベアリングを設けたことを特徴とする請求項７に記載の顔エステ用のマッサージロッド。
【請求項９】
前記ハンドル軸の端面には第２軸窪み穴を設けたことを特徴とする請求項７に記載の顔エステ用のマッサージロッド。
【考案の詳細な説明】
【技術分野】
【０００１】
本考案は、身体の顔や肌にマッサージを付与する装置に関し、特に、顔エステ用のマッサージロッドに関する。
【背景技術】
【０００２】
人々の生活が豊かになっていくと共に、マッサージロッドがだんだん人に好かれるようになった。一般的なマッサージロッドは、ロッドに振動を付与して筋肉を軟らかくすることで新陳代謝をよくさせる効果がある。しかし、マッサージロッドは振動を発生する必要があるため、構造上には複雑でコストも高くなる。また、このような振動式マッサージロッドは、特許文献１に示すように、一般的に体の部位に利用することで、顔のマッサージには利用できなかった。
そのため、顔のマッサージをするのには、特許文献２乃至４に示すように、非振動式のマッサージロッドが主流であり、使用者は非振動式の顔エステ用のマッサージロッド別途購入する必要があった。
【０００３】
上記の非振動式の顔エステ用のマッサージロッドは、種類が多様であるが、凸粒・フープなどを利用し、筋肉を圧す効果を有するものが大半であった。しかし、それはリラックス効果にしかでなく、肌や皮膚の改善にあらゆる効果は少ない。
【先行技術文献】
【特許文献】
【０００４】
【特許文献１】実用新案登録第３１０２４１９号公報
【特許文献２】特開２００３−３８５９６号公報
【特許文献３】特開２００６−３６２４７号公報
【特許文献２】特開２００８−３６２４７号公報
【考案の概要】
【考案が解決しようとする課題】
【０００５】
本考案の課題は、以上の不都合に鑑みてなされたもので、有益な放射性エネルギー物質（磁力・電気・遠赤外線など）で人体顔或いはその他の肌に効果を発生させ、血液の循環を促進し、肌細胞の活性化、新陳代謝を加速させ、斑点を薄くし、肌をきっちりしシワを改善、毛穴の廃棄物を排出し毛穴を縮小し、同時に肌に圧し、全面的に人体の異なる部位を適切なマッサージを施す顔エステマッサージロッドを提供することにある。
【課題を解決するための手段】
【０００６】
上記の課題を解決するために、請求項１の本考案は、支持軸部材とマッサージ部材からなる顔エステ用のマッサージロッドであって、支持軸部材の一端にマッサージ部材軸を固定し、そのマッサージ部材軸に回動する第１軸カバーが設け、前記マッサージ部材の外周には数多くの部材用嵌め穴を設け、該部材用嵌め穴に放射性作用部材をはめ込み、該放射性作用部材の一部が該部材用嵌め穴の外周の外に出ており、マッサージ部材にカバー嵌合孔を設けて該カバー嵌合孔に第１軸カバーを嵌装し、マッサージ部材が第１軸カバーとともにマッサージ部材軸の中心に回動するようにしたことを特徴とする。  
【０００７】
請求項２の考案は、請求項１に記載の顔エステ用のマッサージロッドにおいて、前記マッサージ部材の一端に部材用嵌め穴を設け、該部材用嵌め穴にはマッサージ用部材を設け、該マッサージ用部材の部分が部材用嵌め穴の外周の外に出ていることを特徴とする。
請求項３の考案は、請求項１に記載の顔エステ用のマッサージロッドにおいて、前記第１軸カバーの両端にそれぞれ第１・第２のベアリングを設けたことを特徴とする。
請求項４の考案は、請求項１に記載の顔エステ用のマッサージロッドにおいて、前記マッサージ部材軸の端面には第１軸窪み穴を設けたことを特徴とする。
【０００８】
請求項５の考案は、請求項１に記載の顔エステ用のマッサージロッドにおいて、前記放射性作用部材は、磁石・光波の石・電気石・遠赤外線陶磁或いはゲルマニウムから選択されるものから作り上げたことを特徴とする。
請求項６の考案は、請求項１に記載の顔エステ用のマッサージロッドにおいて、前記マッサージ用部材は、磁石・光波の石・電気石・遠赤外線陶磁或いはゲルマニウムから選択されるものから作り上げたことを特徴とする。
【０００９】
請求項７の考案は、請求項１に記載の顔エステ用のマッサージロッドにおいて、前記支持軸部材の他端にはハンドル軸を固定し、該ハンドル軸に第２軸カバーを回動自在に嵌装し、該第２軸カバーにハンドルを嵌合し、ハンドルにはカバー嵌合孔を開け、該ハンドルがカバー嵌合孔を第２軸カバーに嵌合し、ハンドルと第２軸カバーとがハンドル軸の中心に回動するようにしたことを特徴とする。
請求項８の考案は、請求項７に記載の顔エステ用のマッサージロッドにおいて、前記第２軸カバーの両端に第３・第４のベアリングを設けたことを特徴とする。
請求項９の考案は、請求項７に記載の顔エステ用のマッサージロッドにおいて、前記ハンドル軸の端面には第２軸窪み穴を設けたことを特徴とする。
【００１０】
本考案の作用は、人体に有益な放射性エネルギーを発生し、人体の肌に有益の働きをし、本考案は自分でマッサージができ、持ちやすく、そしてコストが低く、電力を使わないため、どこでもいつでもマッサージができる。合理なデザインで、利用しやすく、世間に広く使用されやすい。
【考案の効果】
【００１１】
本考案によれば、以下のような効果が得られる。
（イ）本考案のマッサージ部材の外周に嵌め込んだ放射性作用部材５は磁石・光波の石・電気石・遠赤外線陶磁或いはゲルマニウムから選択されたもので作り上げたものであるので、その放射性作用物品５には人体に有益な放射性エネルギーを発生する。また、マッサージ用部材６も磁石・光波の石・電気石・遠赤外線陶磁或いはゲルマニウムから選択させるもので作り上げたものなので、そのマッサージ用部材６には人体に有益な放射性エネルギーを発生する。
【００１２】
（ロ）マッサージ部材２に設置した放射性作用部材５が発する有益な放射性エネルギー物質（磁力・電気・遠赤外線など）で人体顔或いはその他の肌に効果を発生する。それは、血液の循環を促進し、肌細胞の活性化、新陳代謝を加速させ、斑点を薄くし、肌をきっちりしシワを改善、毛穴の廃棄物を排出し毛穴を縮小するなどの効果が得られる。それ同時にマッサージ用部材６で肌に圧し、全面的に人体の異なる部位を適切なマッサージ効果が得られる。
【図面の簡単な説明】
【００１３】
【図１】本考案の実施例のマッサージロッドの全体の立体図である。
【図２】図１のマッサージ部材の立体図である。
【図３】図１の放射性作用部材・マッサージ用部材をマッサージ部材に設けた立体図である。
【図４】マッサージ部材軸及びハンドル軸を設けた支持軸部材の立体図である。
【図５】図１にハンドルの立体図である。
【図６】図１の分解指示図である。
【図７】図１の完全分解指示図である。
【考案を実施するための形態】
【００１４】
本考案の好適な顔エステ用のマッサージロッドの実施例を、図面を参照して説明する。
図１〜７で示したように、本考案の実施例は、支持軸部材１、マッサージ部材２(ローラ、ロッド、棒)、そのマッサージ部材２は１２角柱で図示されている。
【００１５】
図１、図４、図６、図７に示すように、前記支持軸部材１の一端にマッサージ部材軸３を固定して設けてある。マッサージ部材軸３には、マッサージ部材軸３の外周に沿って回動する第１軸カバー４を設けられ、そのマッサージ部材軸３の端部には軸方向に有底のカシメ用の第１軸窪み穴３１が開口している。第１軸カバー４にはハンドル９が嵌装されており、ハンドル９の端にはカバー嵌合孔９１が開口している。
ハンドル９のカバー嵌合孔９１に第２軸カバー１１を嵌装し、且つ、ハンドル９は第２軸カバー１１とともに回動できるように構成されている。
その第１軸カバー４の両端の軸窪み穴には、それぞれ一対の第１ベアリング７と第２ベアリングが設けられ、そのうち第１ベアリング７と第２ベアリングは、マッサージ部材２の内周の第１軸カバー４に設けられている。
第１軸カバー４を設置する際、まず、第１ベアリング７と第２ベアリング８を設けた第１軸カバー４をマッサージ部材軸３に嵌装し、次に、第１軸窪み穴３１を押し潰すように、第１ベアリング７の内側の固定子をマッサージ部材軸３に強固に固定する。この時、第１軸カバー４はマッサージ部材軸３の回りを回動するように設けられる。
【００１６】
ここで、図２、図３に示すように、上述マッサージ部材２の外周には、部材用嵌め穴２１を所定距離に隔てて多数配列して設置し、この部材用嵌め穴２１には放射性作用部材５を嵌め込んでいる。
その放射性作用部材５としては、磁石・光波の石・電気石・遠赤外線陶磁或いはゲルマニウム等から選択させる一種で作り上げた部材で、その放射性作用部材５は人体に有益な放射性エネルギーを発生する。ここで、その放射性作用部材５の部分は、部材用嵌め穴２１の外周から外に出ており、また、マッサージ部材２の端にはカバー嵌合孔２２が開口している。そして、マッサージ部材２のカバー嵌合孔２２に第１軸カバー４嵌合し、且つ、マッサージ部材２が第１軸カバー４とともに回動するように構成される。
【００１７】
そのマッサージ部材２のもう一端の外周には部材用嵌め穴２３を開け、この部材用嵌め穴２３にマッサージ用部材６を設置している。そのマッサージ用部材６の部分も、その部材用嵌め穴２３の外周に出ている。
このマッサージ用部材６は、磁石・光波の石・電気石・遠赤外線陶磁或いはゲルマニウム等から選択される一種で作り上げた部材で、このマッサージ用部材６には人体に有益な放射性エネルギーを発生する。
【００１８】
図５に示すように、上述した支持軸部材１のマッサージ部材２の反対側の他端には、ハンドル軸１０を設けている。この他端のハンドル軸１０には、ハンドル軸１０とともに回動する第２軸カバー１１が設けられ、この第２軸カバー１１にはハンドル９を嵌装し、そのハンドル９が利用者の手の部分で握り持ちすることに供する。そのハンドル９の端にカバー嵌合孔９１を開口を設け、ハンドル９のカバー嵌合孔９１に第２軸カバー１１を嵌装し、且つ、ハンドル９は第２軸カバー１１とともに、支持軸部材１に対して回動するように構成される。
【００１９】
ハンドル軸１０の端に軸方向に有底のカシメ用の第２軸窪み穴１０１を開口され、第２軸カバー１１の両端に、それぞれ一対の第３ベアリング１２と第４ベアリング１３を設けて、その中の第３ベアリング１２と第４ベアリング１３がそれぞれ第２軸カバー１１の内周に設置されている。第２軸カバー１１を設置する際、まず第３ベアリング１２と第４ベアリング１３を設置している第２軸カバー１１をハンドル軸１０に嵌装し、そして、第２軸窪み穴１０１を押し潰し、第４ベアリング１３の内側の固定子をハンドル軸３に強固に固定する。その時、第２軸カバー１１が第２軸カバー１１とともに、ハンドル軸１０に対して回動するように構成される。
【００２０】
勿論、上述したマッサージ部材２は、実施例では１２角柱であるが、その他、円柱体或いは四角柱体・五角柱体などでも可能であることは当然であるが、要は、マッサージ部材の外周の表面には放射性作用部材５に結合する場所があればよい。
【００２１】
（作用・効果）
上述した本考案の実施例を利用する際には、利用者の手がハンドル９に握り、そしてマッサージ部材２の外周(外側）を顔或いはその他の肌に当て、ハンドル９を移動しつつ、マッサージ部材２を人体顔或いはその他の肌に伝動させる。
そして、マッサージ部材２に設けた放射性作用部材５が放射する人体に有益な放射性エネルギー物質（磁力・電気・遠赤外線など）が、人体顔或いはその他の肌に照射して良好な効果を発生する。具体的には血液の循環を促進し、肌細胞の活性化、新陳代謝を加速させ、斑点を薄くし、肌をきっちりしシワを改善、毛穴の廃棄物を排出し毛穴を縮小するなどの効果がある。それ同時にマッサージ用部材６で肌に圧し、全面的に人体の異なる部位を適切なマッサージ効果が得られる。
【００２２】
このように、考案の実施例の顔エステ用のマッサージロッドは、人体に有益な放射性エネルギーを発生し、人体の肌に有益の効果が期待ができ、かつ、自分でマッサージができ、持ちやすく、そしてコストが低く、電力を使わないため、どこでもいつでもマッサージができる。また、合理なデザインで、利用しやすく、世間に広く使用されやすいとう利点を有する。
【００２３】
なお、本考案の特徴を損なうものでなければ、前述した実施例に限定されることはなく、本考案での構造・特徴及び原理を用いて変化或いは調整には、全て本考案の実用新案登録請求の範囲に含まれる。
【符号の説明】
【００２４】
１    支持軸部材    
２    マッサージ部材    
２１  部材用嵌め穴
２２  カバー嵌合孔    
２３  部材用嵌め穴    
３    マッサージ部材軸
３１  第１軸窪み穴
４    第１軸カバー
５    放射性作用部材
６    マッサージ用部材
７    第１ベアリング    
８    第２ベアリング    
９    ハンドル    
９１  カバー嵌合孔
１０  ハンドル軸
１０１  第２軸窪み穴
１１  第２軸カバー  
１２  第３ベアリング    
１３  第４ベアリング
【図１】
0003160755.tif 000003
【図２】
0003160755.tif 000004
【図３】
0003160755.tif 000005
【図４】
0003160755.tif 000006
【図５】
0003160755.tif 000007
【図６】
0003160755.tif 000008
【図７】
0003160755.tif 000009
【手続補正書】
【提出日】平成22年4月26日(2010.4.26)
【手続補正１】
【補正対象書類名】実用新案登録請求の範囲
【補正対象項目名】全文
【補正方法】変更
【補正の内容】
【実用新案登録請求の範囲】
【請求項１】
支持軸部材とマッサージ部材からなる顔エステ用のマッサージロッドであって、支持軸部材の一端にマッサージ部材軸を固定し、そのマッサージ部材軸に回動する第１軸カバーが設け、前記マッサージ部材の外周には数多くの部材用嵌め穴を設け、該部材用嵌め穴に放射性作用部材をはめ込み、該放射性作用部材の一部が該部材用嵌め穴の外周の外に出ており、マッサージ部材にカバー嵌合孔を設けて該カバー嵌合孔に第１軸カバーを嵌装し、マッサージ部材が第１軸カバーとともにマッサージ部材軸の中心に回動するようにしたことを特徴とする顔エステ用のマッサージロッド。
【請求項２】
前記マッサージ部材の一端に部材用嵌め穴を設け、該部材用嵌め穴にはマッサージ用部材を設け、該マッサージ用部材の部分が部材用嵌め穴の外周の外に出ていることを特徴とする請求項１に記載の顔エステ用のマッサージロッド。
【請求項３】
前記第１軸カバーの両端にそれぞれ第１・第２のベアリングを設けたことを特徴とする請求項１に記載の顔エステ用のマッサージロッド。
【請求項４】
前記マッサージ部材軸の端面には第１軸窪み穴を設けたことを特徴とする請求項１に記載の顔エステ用のマッサージロッド。
【請求項５】
前記放射性作用部材は、磁石・光波の石・電気石・遠赤外線陶磁或いはゲルマニウムから選択されるものから作り上げたことを特徴とする請求項１に記載の顔エステ用のマッサージロッド。
【請求項６】
前記マッサージ用部材は、磁石・光波の石・電気石・遠赤外線陶磁或いはゲルマニウムから選択されるものから作り上げたことを特徴とする請求項２に記載の顔エステ用のマッサージロッド。
【請求項７】
前記支持軸部材の他端にはハンドル軸を固定し、該ハンドル軸に第２軸カバーを回動自在に嵌装し、該第２軸カバーにハンドルを嵌合し、ハンドルにはカバー嵌合孔を開け、該ハンドルがカバー嵌合孔を第２軸カバーに嵌合し、ハンドルと第２軸カバーとがハンドル軸の中心に回動するようにしたことを特徴とする請求項１に記載の顔エステ用のマッサージロッド。
【請求項８】
前記第２軸カバーの両端に第３・第４のベアリングを設けたことを特徴とする請求項７に記載の顔エステ用のマッサージロッド。
【請求項９】
前記ハンドル軸の端面には第２軸窪み穴を設けたことを特徴とする請求項７に記載の顔エステ用のマッサージロッド。
【手続補正２】
【補正対象書類名】明細書
【補正対象項目名】０００８
【補正方法】変更
【補正の内容】
【０００８】
請求項５の考案は、請求項１に記載の顔エステ用のマッサージロッドにおいて、前記放射性作用部材は、磁石・光波の石・電気石・遠赤外線陶磁或いはゲルマニウムから選択されるものから作り上げたことを特徴とする。
請求項６の考案は、請求項２に記載の顔エステ用のマッサージロッドにおいて、前記マッサージ用部材は、磁石・光波の石・電気石・遠赤外線陶磁或いはゲルマニウムから選択されるものから作り上げたことを特徴とする。